(57)【要約】  配向膜の液体材料がシール材の形成領域へ侵入することが抑制されており、シール材と基板との密着性が低下してシール材が剥がれることが抑制され、狭額縁化を図ることができる液晶表示装置を提供する。  表示パネル１は、矩形状をなし、内周側に形成されたシール材４を挟んで貼り合わされたＴＦＴ基板２，ＣＦ基板３と、基板間に配された液晶層５と、ＴＦＴ基板２上の、シール材４の内周側かつＣＦ基板３側に設けられた配向膜６と、配向膜６とシール材４との間に形成され、周方向に沿って波状に設けられた凹凸部２７とを備える。
2017017818.tif 000002
【特許請求の範囲】
【請求項１】
矩形状をなし、内周側に形成されたシール材を挟んで貼り合わされた２枚の基板と、
該基板間に設けられた液晶層と、
一方の基板上の、前記シール材の内周側かつ他方の基板側に設けられた配向膜と、
該配向膜と前記シール材との間に形成され、周方向に沿って波状に設けられた凹凸部と
を備えることを特徴とする液晶表示装置。
【請求項２】
前記凹凸部は、矩形波状をなすことを特徴とする請求項１に記載の液晶表示装置。
【請求項３】
前記凹凸部は、正弦波状をなすことを特徴とする請求項１に記載の液晶表示装置。
【請求項４】
前記凹凸部の凹部を、周方向に交叉する方向に複数有することを特徴とする請求項１から３までのいずれか１項に記載の液晶表示装置。
【請求項５】
矩形波状をなす凹部を複数有し、
前記周方向に交叉する方向に隣り合う、２つの凹部は、外側の凹部の外側突出部の幅が内側の凹部の外側突出部の幅より広く、該外側突出部の一部が前記外側の凹部の外側突出部に入っていることを特徴とする請求項４に記載の液晶表示装置。
【請求項６】
直線状の凹部を有することを特徴とする請求項４又は５に記載の液晶表示装置。
【請求項７】
前記一方の基板上に、
前記凹凸部の凹部に対応する第２の凹部を有する層間絶縁膜と、
該層間絶縁膜を覆うように形成された金属膜と
を備えることを特徴とする請求項１から６までのいずれか１項に記載の液晶表示装置。
【発明の詳細な説明】
【技術分野】
【０００１】
本発明は、テレビジョン受信機、パーソナルコンピュータ等に備えられる、ＴＦＴ（薄膜トランジスタ）基板を有する液晶表示装置に関する。
【背景技術】
【０００２】
表示装置の中で、液晶表示装置は薄型であり、消費電力が低いという特徴を有する。特に、画素毎にＴＦＴ等のスイッチング素子を備えるＴＦＴ（アクティブマトリクス）基板を有する液晶表示装置は、高いコントラスト比、及び優れた応答特性を有し、高性能であるため、テレビジョン受信機、パーソナルコンピュータ等に好適に用いられている。【０００３】
液晶表示装置を備えるテレビジョン受信機（以下、ＴＶ受信機という）は、例えば、前側で映像を表示する表示パネル，表示パネルの後側に光を照射するバックライトユニットを有する表示モジュールと、表示モジュールの前面の周縁部及び側部を覆うフロントキャビネットと、表示モジュールの背面を覆うリアキャビネットとを備える。【０００４】
表示パネルは、互いに対向するＴＦＴ基板、及び対向基板（カラーフィルタ基板：ＣＦ基板）と、ＴＦＴ基板及びＣＦ基板間に表示媒体層として設けられた液晶層と、ＴＦＴ基板及びＣＦ基板を互いに接着するとともにＴＦＴ基板及びＣＦ基板間に液晶層を封入するために枠状に設けられたシール材とを有する。【０００５】
ＴＦＴ基板の絶縁基板上には、複数のゲート配線（走査配線）と、各ゲート配線と交叉する複数のソース配線（信号配線）とが形成されている。隣り合う２本のゲート配線及び信号配線により囲まれた領域が１つの画素領域に対応し、各画素領域に対応して、ＴＦＴ、及びＩＴＯ（Ｉｎｄｉｕｍ−Ｔｉｎ−Ｏｘｉｄｅ）膜等からなる画素電極が配されている。画素電極は配向膜により覆われている。【０００６】
配向膜は、ポリイミド等の材料を用い、インクジェット法等により、各画素領域が集合してなる表示領域を覆うように形成されている。ポリイミド等の配向膜材料の粘度は低く、インクジェット法により表示領域に塗布する際に、表示領域から基板の端縁部側へ配向膜が濡れ広がりやすい。配向膜がシール材の形成領域まで広がった場合、シール材とＴＦＴ基板との密着性が低下し、シール材が剥がれるという問題が生じる。【０００７】
特許文献１には、ＴＦＴ基板上の表示領域とシール材形成領域との間に形成する絶縁膜に段差部を設け、該段差部を金属膜で覆ったときに金属膜に凹凸部が生じるように構成された液晶表示装置の発明が開示されている。
図１２は、特許文献１の液晶表示装置の表示パネルの凹凸部２７を示す模式的平面図、図１３は図１２のXIII−XIII線断面図である。図１２及び図１３においては、凹凸部２７のうち、表示パネルの上辺の一部に対応する部分を示している。図１２における上側が、後述するシール材４が形成されたシール材形成領域Ｓであり、下側が表示領域Ｄである。図１２中、カバーメタル２５及び金属膜２６は省略している。【０００８】
上述したように、ＴＦＴ基板２とＣＦ基板３とは、ＣＦ基板３の内周縁部に枠状に設けられたシール材４により接着されている。表示領域Ｄとシール材形成領域Ｓとの間に、凹凸部２７が設けられている。【０００９】
図１２に示すように、ＴＦＴ基板２の信号配線２２は、シール材形成領域Ｓの内側（表示領域Ｄ側）部分においては行方向と所定の角度をなす状態で延びるように配されている。信号配線２２は凹凸部２７を横断し、表示領域Ｄの外側（シール材形成領域Ｓ側）部分で行方向と所定の角度をなす状態で延びた後、表示領域Ｄにおいて列方向に延びるように配されている（不図示）。
凹凸部２７の第２層間絶縁膜２４には、行方向に延びる溝部２４９が列方向に３本並設されている。【００１０】
図１２及び図１３に示すように、ＴＦＴ基板２の例えばガラス基板等の絶縁基板２１上に信号配線２２が形成され、信号配線２２上には、第１層間絶縁膜２３が形成されている。
信号配線２２及び第１層間絶縁膜２３上の、凹凸部２７に対応する部分には、カバーメタル２５が形成されている。
第１層間絶縁膜２３及びカバーメタル２５を覆うように、例えば感光性のアクリル樹脂等の有機絶縁膜からなる第２層間絶縁膜２４が形成され、パターニングにより溝部２４９，２４９，２４９が形成されている。【００１１】
そして、第２層間絶縁膜２４を覆うように、蒸着によりＩＴＯ（Ｉｎｄｉｕｍ−Ｔｉｎ−Ｏｘｉｄｅ）からなる金属膜２６が形成されている。金属膜２６には、溝部２４９，２４９，２４９に対応して溝２６９，２６９，２６９が形成されている。【００１２】
この液晶表示装置においては、表示領域Ｄに対応して金属膜２６上に、ポリイミドからなる配向膜６を形成する場合に、凹凸部２７における金属膜２６の段差により、ポリイミドの濡れ広がりを堰き止めることができ、しかもポリイミドはＩＴＯとの濡れ性が低いので、配向膜６の濡れ広がりがより抑制できるとされている。
【先行技術文献】
【特許文献】
【００１３】
【特許文献１】特開２００７−３２２４７４号公報
【発明の概要】
【発明が解決しようとする課題】
【００１４】
上述の特許文献１の表示パネルにおいては、金属膜２６の溝２６９のエッジにおいて、ポリイミド等の配向膜６の液体材料の表面張力が大きく、金属膜２６の表面張力は小さく、接触角が大きくなるので、配向膜６の濡れ広がりが抑制されると考えられる。しかし、この表示パネルにおいては、溝２６９のエッジ長さが十分でないので、配向膜６の濡れ広がりの抑制効果には限度があるという問題があった。
特に、表示領域Ｄの大きさは変えず、表示パネルの外形を小さくする、即ち狭額縁化を進めることにした場合、凹凸部２７が表示領域Ｄ側へ近づき、幅が狭くなるので、配向膜６の濡れ広がりを十分に抑制することができなくなり、配向膜６がシール材形成領域Ｓへ侵入する可能性が高くなるという問題がある。【００１５】
また、特許文献１においては、第２層間絶縁膜２４の凹凸部分に剥がれが生じた場合、全体が剥がれてしまう可能性が高くなるので、凹凸部分に切れ目を設ける、即ち、溝部２４９に切れ目を設けることが好ましいとしており、この場合、金属膜２６の凹凸部分に切れ目が生じることになるので、この切れ目を起点に配向膜材料がシール形成領域Ｓ側へ流れる可能性がある。【００１６】
本発明は斯かる事情に鑑みてなされたものであり、配向膜の液体材料がシール材の形成領域へ侵入することが抑制され、シール材と基板との密着性が低下してシール材が剥がれることが抑制されており、狭額縁化を図ることができる液晶表示装置を提供することを目的とする。
【課題を解決するための手段】
【００１７】
本発明に係る液晶表示装置は、矩形状をなし、内周側に形成されたシール材を挟んで貼り合わされた２枚の基板と、該基板間に設けられた液晶層と、一方の基板上の、前記シール材の内周側かつ他方の基板側に設けられた配向膜と、該配向膜と前記シール材との間に形成され、周方向に沿って波状に設けられた凹凸部とを備えることを特徴とする。【００１８】
本発明においては、凹凸部が波状をなすので、凹凸部の凹部の線長（エッジの辺長）が長く、表面積が大きい。これにより、凹凸部において、配向膜の液体材料の表面張力が大きくなり、該液体材料の濡れ広がりが抑制され、配向膜がシール材の形成領域へ侵入することが抑制される。
従って、シール材と前記基板との密着性が低下してシール材が剥がれることが抑制されている。
そして、表示パネルの外形を小さくし、即ち、凹凸部及びシール材の形成領域が配向膜の周縁部に近づき、凹凸部の幅が狭くなった場合においても、配向膜の液体材料の濡れ広がりが抑制されるので、表示パネルの狭額縁化を良好に実施することができる。
また、凹凸部に特許文献１に示される切れ目がないので、切れ目を起点に配向膜がシール領域側へ漏れることがない。【００１９】
本発明に係る液晶表示装置は、前記凹凸部は、矩形波状をなすことを特徴とする。【００２０】
本発明においては、凹凸部が矩形波状をなし、屈曲部が直角であるので、屈曲部が鈍角である場合より、配向膜の液体材料の濡れ広がりがより抑制されている。【００２１】
本発明に係る液晶表示装置は、前記凹凸部は、正弦波状をなすことを特徴とする。【００２２】
本発明においては、他の部材と干渉しにくい。【００２３】
本発明に係る液晶表示装置は、前記凹凸部の凹部を、周方向に交叉する方向に複数有することを特徴とする。【００２４】
本発明においては、配向膜の液体材料の濡れ広がりがより抑制される。【００２５】
本発明に係る液晶表示装置は、矩形波状をなす凹部を複数有し、前記周方向に交叉する方向に隣り合う、２つの凹部は、外側の凹部の外側突出部の幅が内側の凹部の外側突出部の幅より広く、該外側突出部の一部が前記外側の凹部の外側突出部に入っていることを特徴とする。【００２６】
本発明においては、凹部の線長を長くするとともに、凹凸部の幅を狭くすることができる。【００２７】
本発明に係る液晶表示装置は、直線状の凹部を有することを特徴とする。【００２８】
本発明においては、波状の方の凹部の屈曲部の周期を短くして、該凹部の線長を長くするとともに、凹凸部の幅を狭くすることができる。【００２９】
本発明に係る液晶表示装置は、前記一方の基板上に、前記凹凸部の凹部に対応する第２の凹部を有する層間絶縁膜と、該層間絶縁膜を覆うように形成された金属膜とを備えることを特徴とする。【００３０】
本発明においては、層間絶縁膜の凹凸に対応して金属膜に凹凸が形成され、波状の凹部を有する凹凸部が容易に形成される。
【発明の効果】
【００３１】
本発明によれば、凹凸部が波状をなすので、凹部の線長が長く、表面積が大きく、配向膜の液体材料の表面張力が大きくなり、該液体材料の濡れ広がりが抑制され、配向膜がシール材の形成領域へ侵入することが抑制される。
従って、シール材と基板との密着性が低下してシール材が剥がれることが抑制され、表示パネルの外形を小さくし、凹凸部の幅が狭くなった場合においても、配向膜の液体材料の濡れ広がりが抑制されるので、表示パネルの狭額縁化を良好に実施し得る。
また、凹凸部に切れ目がないので、切れ目を起点に配向膜がシール領域側へ漏れることがない。
【図面の簡単な説明】
【００３２】
【図１】実施の形態１に係るＴＶ受信機を示す模式的斜視図である。
【図２】表示パネルのＣＦ基板を外した状態を示す模式的平面図である。
【図３】図２のIII −III 線断面図である。
【図４】図２のＡ部分を示す拡大図である。
【図５】図４のＢ部分を示す拡大図である。
【図６】図５のVI−VI線断面図である。
【図７】図５のVII −VII 線断面図である。
【図８】金属膜上に、配向膜を形成した状態を示す模式的断面図である。
【図９】実施の形態２に係る第２層間絶縁膜の溝部を示す模式的平面図である。
【図１０】実施の形態３に係る第２層間絶縁膜の溝部を示す模式的平面図である。
【図１１】実施の形態４に係る第２層間絶縁膜の溝部を示す平面図である。
【図１２】特許文献１の液晶表示装置の表示パネルの凹凸部を示す模式的平面図である。
【図１３】図１２のXIII−XIII線断面図である。
【発明を実施するための形態】
【００３３】
以下、本発明をその実施の形態を示す図面に基づいて具体的に説明する。
実施の形態１．
図１は実施の形態１に係るテレビジョン受信機（以下、ＴＶ受信機という）１００を示す模式的斜視図、図２は表示パネル１のＣＦ基板３を外した状態を示す模式的平面図、図３は図２のIII −III 線断面図、図４は図２のＡ部分を示す拡大図、図５は図４のＢ部分を示す拡大図、図６は図５のVI−VI線断面図、図７は図５のVII −VII 線断面図である。Ａ部分は、表示パネル１の上辺の一部に対応する部分である。なお、図中、ＣＦ基板３側の配向膜は省略している。図２、図４及び図５において、凹凸部２７の溝部として、第２層間絶縁膜２４に形成される溝部２４１，２４２を示してあり、図４及び図５において、カバーメタル２５及び金属膜２６は省略している。
【００３４】
ＴＶ受信機１００は、映像を表示する表示パネル１を有する横長の表示モジュール７と、表示モジュール７を挟むようにして収容する合成樹脂製のフロントキャビネット８及びリアキャビネット９と、アンテナ（不図示）から放送波を受信するチューナ１０と、符号化された放送波を復号するデコーダ１１と、スタンド１２とを備える。表示モジュール１１は、全体として横長の略直方体状をなし、縦姿勢でフロントキャビネット８及びリアキャビネット９内に収容されている。
【００３５】
表示モジュール７は例えばエッジライト型である場合、表示パネル１と、例えば３枚の光学シート（以下、不図示）と、導光板と、ＬＥＤ基板と、反射シートと、シャーシとを備える。
【００３６】
図２及び図３に示すように、表示パネル１は、互いに対向するＴＦＴ基板２及びＣＦ基板３と、ＴＦＴ基板２及びＣＦ基板３間に表示媒体層として設けられた液晶層５と、ＴＦＴ基板２及びＣＦ基板３を互いに接着するとともにＴＦＴ基板２及びＣＦ基板３間に液晶層５を封入するために枠状に設けられたシール材４とを備える。図２において、ＣＦ基板３は仮想線で示してある。
ＴＦＴ基板２の平面面積は、ＣＦ基板３の平面面積より大きい。
【００３７】
映像又は画像を表示する表示領域Ｄは、平面視でＴＦＴ基板２、液晶層５、及びＣＦ基板３が重なる領域で、シール材４が形成されているシール材形成領域Ｓより少し内側に形成されている。シール材４と表示領域Ｄとの間には、溝部２４１、及び溝部２４２を有する凹凸部２７が枠状に設けられている。
配向膜６（図８参照）は、その周縁部が表示領域Ｄと凹凸部２７との間に位置するように形成されている。
【００３８】
図４に示すように、表示領域Ｄにおいて、ＴＦＴ基板２は、例えばガラス基板等の絶縁基板２１上に、行方向に複数並設された信号配線２２と、各信号配線２２と交叉する方向に、即ち、列方向に複数並設されたゲート配線２９と、各信号配線２２及び各ゲート配線２９の交叉部分毎、すなわち、画素毎に夫々設けられた複数のＴＦＴと、マトリクス状に設けられ、各ＴＦＴに夫々接続された複数の金属膜（画素電極）２６（図６参照）と、各金属膜２６を覆うように設けられた後述する配向膜６（図８参照）とを備える。
【００３９】
表示パネル１の端縁部において、端子部２８が行方向に複数並設されている。信号配線２２は、シール材形成領域Ｓの外側部分においては端子部２８から表示領域Ｄに向かうように直線状に延び、シール材形成領域Ｓの内側（表示領域Ｄ側）部分においては行方向と所定の角度をなす状態で延びるように配されている。信号配線２２は凹凸部２７を横断し、表示領域Ｄの外側（シール材形成領域Ｓ側）部分で行方向と所定の角度をなす状態で延びた後、表示領域Ｄに対し垂直な方向に延びるように配されている。
【００４０】
図４及び図５に示すように、第２層間絶縁膜２４の溝部２４１及び溝部２４２は、矩形波状に蛇行している。外側の溝部２４１の突出矩形（上に凸の矩形）の幅は、内側の溝部２４２の突出矩形の幅より広く、溝部２４２の突出矩形の一部が溝部２４１の突出矩形に挿入されるように形成されている。
【００４１】
図６及び図７に示すように、ＴＦＴ基板２の例えばガラス基板等の絶縁基板２１上には、スパッタリング等により金属膜を成膜し、パターニングすることにより信号配線２２が形成されている。
信号配線２２上には、例えばＳｉＮx からなる第１層間絶縁膜２３が形成されている。
信号配線２２及び第１層間絶縁膜２３上の、凹凸部２７に対応する部分には、カバーメタル２５が形成されている。
【００４２】
第１層間絶縁膜２３及びカバーメタル２５を覆うように、例えば感光性のアクリル樹脂等の有機絶縁膜からなる第２層間絶縁膜２４が形成され、パターニングにより溝部２４１及び溝部２４２が形成されている。
第２層間絶縁膜２４上には、ＩＴＯを用いて金属膜２６が形成されている。金属膜２６には、溝部２４１，２４２に対応して、溝部２６１，２６２が形成されている。
金属膜２６は表示領域Ｄにおいては、画素電極を構成する。
【００４３】
ＣＦ基板３の例えばガラス基板等の絶縁基板３１上には、ブラックマトリックス３２、並びにＲ（赤）、Ｇ（緑）、及びＢ（青）等のカラーフィルタ（不図示）を配列してある。
【００４４】
ＴＦＴ基板２の表示領域Ｄより少し平面面積が大きくなる状態で、画素電極としての金属膜２６を覆うように、配向膜６が、ポリイミド等の材料を用いてインクジェット法等により形成されている。
【００４５】
図８は、金属膜２６上に、配向膜６を形成した状態を示す模式的断面図である。
上述したように、配向膜６の液体材料のポリイミドは濡れ広がりやすい。
本実施の形態においては、凹凸部２７の第２層間絶縁膜２４の溝部２４１，２４２が矩形波状をなし、対応する金属膜２６の溝部２６１，２６２も矩形波状をなし、溝部２６１，２６２の線長（エッジの辺長）が長く、表面積が大きいので、凹凸部２７において、配向膜６の液体材料の表面張力が大きく、配向膜６の液晶材料の濡れ広がりが良好に抑制され、配向膜６がシール材形成領域Ｓへ侵入することが良好に抑制されている。
従って、シール材４とＴＦＴ基板２との密着性が低下してシール材４が剥がれることが抑制されている。
【００４６】
本実施の形態においては、溝部２４１，２４２が矩形波状をなし、対応する溝部２６１，２６２の屈曲部が直角であるので、屈曲部が鈍角である場合より、液体材料の濡れ広がりがより良好に抑制されている。溝部２４１の突出矩形の幅は溝部２４２の突出矩形の幅より広く、該突出矩形の一部が溝部２４１の突出矩形に挿入されるように形成されているので、凹凸部２７の溝部の線長を長くするとともに、凹凸部２７の幅を狭くすることができる。
【００４７】
従って、表示パネル１の外形を小さくし、凹凸部２７及びシール材形成領域Ｓが配向膜６の周縁部に近づき、配向膜６の塗布マージンが減り、凹凸部２７の幅が狭くなった場合においても、配向膜６の液体材料の濡れ広がりが抑制され、表示パネル１の狭額縁化を良好に実施することができる。
そして、溝部２４１，２４２は切れ目を有さず、溝部２６１，２６２は切れ目を有しないので、特許文献１のように切れ目を起点に配向膜６がシール形成領域Ｓ側へ漏れることが防止されている。
【００４８】
なお、本実施の形態においては、図４に示すように、信号配線２２上に溝部２４１の屈曲点が位置するように矩形のピッチを設定しているが、これに限定されるものではない。信号配線２２をカバーメタル２５及び金属膜２６でカバーする場合、問題は生じない。
【００４９】
また、溝部２４１，２４２を表示領域Ｄの周縁を囲むように、表示パネル１の四辺に配しているが、これに限定されるものではない。表示領域Ｄとシール形成領域Ｓとの距離が短く、配向膜６がシール形成領域Ｓまで広がる虞がある部分にのみ、溝部２４１，２４２を配することにしてもよい。
【００５０】
実施の形態２．
実施の形態２に係る表示パネルは、第２層間絶縁膜２４の平面形状が、実施の形態１に係る表示パネル１の第２層間絶縁膜２４の平面形状と異なること以外は、実施の形態１に係る表示パネル１と同様の構造を有する。
図９は、実施の形態２に係る第２層間絶縁膜２４の溝部２４３，２４４を示す模式的平面図である。
溝部２４３は、直線状に延びている。
溝部２４４は、溝部２４１及び溝部２４２と同様に矩形波状に蛇行している。溝部２４４は溝部２４３より表示領域Ｄ側に設けられている。溝部２４４の突出矩形の幅は、溝部２４２の突出矩形の幅と略同一であり、ピッチは溝部２４２のピッチより短く、エッジ長が長くなっている。
従って、第２層間絶縁膜２４上に金属膜２６を形成し、溝部２４３，２４４に対応する溝部を形成した後、配向膜６を形成するとき、配向膜６の液体材料の濡れ広がりの、溝部２４４による抑制効果が高い。そして、凹凸部２７の幅を狭くすることができる。
【００５１】
実施の形態３．
実施の形態３に係る表示パネルは、第２層間絶縁膜２４の平面形状が、実施の形態１に係る表示パネル１の第２層間絶縁膜２４の平面形状と異なること以外は、実施の形態１に係る表示パネル１と同様の構造を有する。
図１０は、実施の形態３に係る第２層間絶縁膜２４の溝部２４５，２４６を示す模式的平面図である。
溝部２４５，２４６は、溝部２４１，溝部２４２と同様に矩形波状に蛇行している。溝部２４５，２４６の突出矩形の幅及びピッチは、溝部２４４の突出矩形の幅及びピッチと略同一であり、短く、エッジ長が長くなっている。実施の形態２と異なり、突出矩形の幅及びピッチが短い溝部を２列有するので、金属膜２６を形成し、溝部２４５，２４６に対応する溝部を形成した後、配向膜６を形成するとき、配向膜６の濡れ広がりの抑制効果がより高い。
【００５２】
実施の形態４．
実施の形態４に係る表示パネルは、第２層間絶縁膜２４の平面形状が、実施の形態１に係る表示パネル１の第２層間絶縁膜２４の平面形状と異なること以外は、実施の形態１に係る表示パネル１と同様の構造を有する。
図１１は、実施の形態４に係る第２層間絶縁膜２４の溝部２４７，２４８を示す平面図である。
溝部２４７，２４８は、実施の形態１〜３の溝部のように矩形波状ではなく、正弦波状をなしている。
従って、他の部材と干渉しにくい。
そして、本実施の形態においては、実施の形態１〜３と同様に、金属膜２６を形成し、溝部２４７，２４８に対応する溝部を形成した後、配向膜６を形成するとき、配向膜６の液体材料の濡れ広がりを抑制することができる。
また、溝部２４７の外側突出部の幅は溝部２４８の外側突出部の幅より広く、該外側突出部の一部が溝部２４７の外側突出部に挿入されるように形成されているので、凹凸部２７の溝部の線長を長くするとともに、凹凸部２７の幅を狭くすることができる。
【００５３】
なお、本発明は上述した実施の形態１〜４の内容に限定されるものではなく、請求項に示した範囲で種々の変更が可能である。すなわち、請求項に示した範囲で適宜変更した技術的手段を組み合わせて得られる実施形態も本発明の技術的範囲に含まれる。
例えば、波状の溝部の屈曲部が周方向に等間隔で、同一の幅及び突出長で設けられている場合に限定されるものではない。配向膜６がシール形成領域Ｓまで広がる虞がある部分と、他部とで屈曲部の間隔、幅、及び突出長を変えることにしてもよい。
また、実施の形態１〜４の第２層間絶縁膜２４の平面形状は組み合わせることができ、例えば表示パネル１の左右辺部分は、実施の形態４の構成を採用し、上下辺部分は実施の形態１の構成を採用することができる。
そして、配向膜６、第２層間絶縁膜２４、及び金属膜２６の材質も、前記実施の形態１〜４の内容に限定されるものではない。
さらに、液晶表示装置はＴＶ受信機に備えられるものには限定されない。
【符号の説明】
【００５４】
１  表示パネル
２  ＴＦＴ基板
２１  絶縁基板
２２  信号配線
２３  第１層間絶縁膜
２４  第２層間絶縁膜
２４１、２４２、２４３、２４４、２４５、２４６、２４７、２４８  溝部（第２の凹部）
２５  カバーメタル
２６  金属膜
２６１、２６２  溝部（凹部）
２７  凹凸部
３  ＣＦ基板
４  シール材
５  液晶層
６  配向膜
７  表示モジュール
８  フロントキャビネット
９  リアキャビネット
１０  チューナ
１１  デコーダ
１２  スタンド
１００  ＴＶ受信機
【図１】
2017017818.tif 000003
【図２】
2017017818.tif 000004
【図３】
2017017818.tif 000005
【図４】
2017017818.tif 000006
【図５】
2017017818.tif 000007
【図６】
2017017818.tif 000008
【図７】
2017017818.tif 000009
【図８】
2017017818.tif 000010
【図９】
2017017818.tif 000011
【図１０】
2017017818.tif 000012
【図１１】
2017017818.tif 000013
【図１２】
2017017818.tif 000014
【図１３】
2017017818.tif 000015
【手続補正書】
【提出日】平成30年1月24日(2018.1.24)
【手続補正１】
【補正対象書類名】特許請求の範囲
【補正対象項目名】全文
【補正方法】変更
【補正の内容】
【特許請求の範囲】
【請求項１】
矩形状をなし、周縁部に形成されたシール材によって貼り合わされた２枚の基板と、
該２枚の基板間で、前記シール材によって囲まれる領域に設けられ、表示領域を形成する液晶層と、
前記２枚の基板の一方の基板上の、前記表示領域で、かつ、前記２枚の基板の他方の基板と対向する面に設けられた配向膜と、
前記表示領域と前記シール材との間に形成され、周方向に沿って波状に設けられた凹凸部と
を備え、前記凹凸部は、前記一方の基板の表面に平行、かつ、前記周方向に交叉する第１方向への突出と前記第１方向とは逆の第２方向への突出とを繰り返しながら前記周方向に沿って延びる少なくとも２つの波状の凹部を含み、前記２つの凹部それぞれの前記第１方向への突出位置が整合している液晶表示装置。
【請求項２】
前記凹凸部の前記一方の基板の表面と平行な面の形状が、矩形波状をなす、請求項１に記載の液晶表示装置。
【請求項３】
前記凹凸部の前記一方の基板の表面と平行な面の形状が、正弦波状をなす、請求項１に記載の液晶表示装置。
【請求項４】
前記２つの凹部は、前記第１方向側の第１凹部の前記第１方向側突出部の幅が前記第２方向側の第２凹部の前記第１方向側突出部の幅より広く、前記第２凹部の前記第１方向側突出部の一部が前記第１凹部の前記第１方向側突出部によって囲まれる領域に入っている、請求項１に記載の液晶表示装置。
【請求項５】
前記凹部の１つは、前記周方向に沿った直線状の凹部である、請求項１から４のいずれか１項に記載の液晶表示装置。
【請求項６】
前記一方の基板の上に前記周方向に沿って形成された溝部を有する層間絶縁膜と、
該溝部の形状を維持しながら前記層間絶縁膜を覆うように形成された導電膜と
を備え、前記溝部の表面に形成される前記導電膜によって前記凹部が形成されている、請求項１から５までのいずれか１項に記載の液晶表示装置。
【国際調査報告】
2017017818.tif 000016
2017017818.tif 000017